(57)【要約】  移動端末（１１０、１２０、１３０）より実行される方法は、移動端末グループの追跡パラメータを設定するステップ（４２０）と、テキスト（４４０）と移動端末の各々の位置情報メッセージ（４３０）とを送信するステップと、優先度に基づいてメッセージを表示するステップ（４５０）と、を含み得る。当該方法は、さらに、移動端末の位置に関するメッセージを自動的に生成するステップを含み得る。
2010507931.tif 000002
【特許請求の範囲】
【請求項１】
複数の移動端末に対する少なくとも１つの追跡パラメータを設定するステップと、
前記複数の移動端末の各々から位置情報を受信するステップと、
前記少なくとも１つの追跡パラメータと少なくとも１つの移動端末の位置とに基づいて、前記複数の移動端末の少なくとも１つに関するメッセージを自動的に表示するステップと、
を含むことを特徴とする方法。
【請求項２】
前記少なくとも１つの追跡パラメータは、距離または領域の少なくとも一方を含むことを特徴とする請求項１に記載の方法。
【請求項３】
前記少なくとも１つの移動端末は第１の移動端末を含んでおり、
前記第１の移動端末の位置が前記少なくとも１つの追跡パラメータを越える場合に前記メッセージを生成するステップを更に含むことを特徴とする請求項２に記載の方法。
【請求項４】
前記複数の移動端末の少なくとも１つに関する自動的に表示された前記メッセージは、位置警報、速度警報、加速度警報、見出し警報の少なくとも１つを示すテキストを含むことを特徴とする請求項１に記載の方法。
【請求項５】
複数の移動端末に対する少なくとも１つの追跡パラメータを設定する前記ステップは、前記複数の移動端末に優先メッセージを送信するリーダ移動端末を指定するステップを含むことを特徴とする請求項１に記載の方法。
【請求項６】
追跡情報を格納するメモリと、
ディスプレイと、
複数の移動端末の各々の位置に関する位置メッセージを受信し、前記複数の移動端末の各々の位置に関する受信された位置メッセージに基づいて前記複数の移動端末の各々の位置を表示するよう前記ディスプレイを制御するよう構成されたロジックと、
を含むことを特徴とする移動端末。
【請求項７】
前記ロジックは、前記複数の移動端末の位置と格納された前記追跡情報とを比較するよう更に構成されることを特徴とする請求項６に記載の移動端末。
【請求項８】
前記ロジックは、前記複数の移動端末の位置と格納された前記追跡情報との比較に基づいて、前記移動端末の位置に関するテキストメッセージを表示するよう前記ディスプレイを制御するよう更に構成されることを特徴とする請求項６に記載の移動端末。
【請求項９】
前記ロジックは、
前記複数の移動端末からテキストメッセージを受信し、
受信された位置メッセージおよびテキストメッセージに関連する優先レベルを決定し、
決定された優先レベルに基づいて受信されたメッセージを表示する
よう更に構成されることを特徴とする請求項６に記載の移動端末。
【請求項１０】
最高の優先レベルに決定される受信メッセージは緊急メッセージに対応することを特徴とする請求項９に記載の移動端末。
【請求項１１】
複数の移動端末の各々の位置情報に関する位置メッセージを受信するステップと、
前記複数の移動端末の少なくとも１つからテキストメッセージを受信するステップと、
前記位置メッセージおよび前記テキストメッセージの各々に対して優先レベルを決定するステップと、
最高の優先レベルに決定された受信メッセージを表示するステップと、
を含むことを特徴とする方法。
【請求項１２】
複数のメッセージタイプに関連付けられたメッセージ優先レベルを格納するステップを更に含むことを特徴とする請求項１１に記載の方法。
【請求項１３】
前記複数のメッセージタイプは、緊急テキストメッセージ、位置警報テキストメッセージ、リーダ・テキストメッセージ、テキストメッセージ、位置メッセージを含むことを特徴とする請求項１２に記載の方法。
【請求項１４】
前記複数の移動端末の位置に関する追跡パラメータを設定するステップを更に含むことを特徴とする請求項１１に記載の方法。
【請求項１５】
前記複数の移動端末の１つの位置と前記追跡パラメータとの比較に基づいてテキストメッセージを自動的に生成するステップを更に含むことを特徴とする請求項１４に記載の方法。
【請求項１６】
複数のメッセージタイプに関連付けられたメッセージ優先レベルを格納するよう構成されたメモリと、
ディスプレイと、
第２の移動端末の位置に関する位置メッセージを受信し、第３の移動端末からテキストメッセージを受信し、受信された前記テキストメッセージおよび受信された前記位置メッセージの優先レベルを決定し、受信された前記位置メッセージおよび受信された前記テキストメッセージに関連付けられた決定された優先レベルに基づいて、受信されたメッセージの１つを表示するよう前記ディスプレイを制御するよう構成されたロジックと、
を含むことを特徴とする移動端末。
【請求項１７】
緊急に関する受信されたテキストメッセージは、最高の優先レベル・メッセージに対応することを特徴とする請求項１６に記載の移動端末。
【請求項１８】
前記メモリは、複数の移動端末の位置に関する追跡パラメータを格納するよう更に構成されることを特徴とする請求項１６に記載の移動端末。
【請求項１９】
前記ロジックは、前記移動端末の位置と格納された前記追跡パラメータとを比較するよう更に構成されることを特徴とする請求項１８に記載の移動端末。
【請求項２０】
前記ロジックは、前記移動端末の位置と格納された前記追跡パラメータとの前記比較に基づいてテキストメッセージを自動的に生成するよう更に構成されることを特徴とする請求項１９に記載の移動端末。
【発明の詳細な説明】
【技術分野】
【０００１】
本明細書に記載されているシステム及び方法は一般に通信装置に関するものであり、より詳しくは、通信装置の位置の追跡に関連するものである。
【背景技術】
【０００２】
セルラ電話機のような通信装置の用途はますます広くなってきている。例えば、セルラ電話機は、しばしば、ユーザが自身の位置をモニタ可能な汎地球測位システム（ＧＰＳ）追跡の機能を含む。ただし現時点では、セルラ電話機や携帯型通信装置に搭載されるＧＰＳは、それら装置自身の位置の追跡に限定されている。
【発明の概要】
【課題を解決するための手段】
【０００３】
ある態様では、方法は、複数の移動端末に対する少なくとも１つの追跡パラメータを設定するステップと、前記複数の移動端末の各々から位置情報を受信するステップと、前記少なくとも１つの追跡パラメータと少なくとも１つの移動端末の位置とに基づいて、前記複数の移動端末の少なくとも１つに関するメッセージを自動的に表示するステップと、を含む。
【０００４】
加えて、前記少なくとも１つの追跡パラメータは、距離または領域の少なくとも一方を含む。
【０００５】
加えて、前記少なくとも１つの移動端末は第１の移動端末を含んでおり、前記第１の移動端末の位置が前記少なくとも１つの追跡パラメータを越える場合に前記メッセージを生成するステップを更に含む。
【０００６】
加えて、前記複数の移動端末の少なくとも１つに関する自動的に表示された前記メッセージは、位置警報、速度警報、加速度警報、見出し警報の少なくとも１つを示すテキストを含む。
【０００７】
加えて、複数の移動端末に対する少なくとも１つの追跡パラメータを設定する前記ステップは、前記複数の移動端末に優先メッセージを送信するリーダ移動端末を指定するステップを含む。
【０００８】
他の態様では、移動端末が提供される。当該移動端末は、追跡情報を格納するメモリと、ディスプレイと、複数の移動端末の各々の位置に関する位置メッセージを受信し、前記複数の移動端末の各々の位置に関する受信された位置メッセージに基づいて前記複数の移動端末の各々の位置を表示するよう前記ディスプレイを制御するよう構成されたロジックと、を含む。
【０００９】
加えて、前記ロジックは、前記複数の移動端末の位置と格納された前記追跡情報とを比較するよう更に構成される。
【００１０】
加えて、前記ロジックは、前記複数の移動端末の位置と格納された前記追跡情報との比較に基づいて、前記移動端末の位置に関するテキストメッセージを表示するよう前記ディスプレイを制御するよう更に構成される。
【００１１】
加えて、前記ロジックは、前記複数の移動端末からテキストメッセージを受信し、受信された位置メッセージおよびテキストメッセージに関連する優先レベルを決定し、決定された優先レベルに基づいて受信されたメッセージを表示するよう更に構成される。
【００１２】
加えて、最高の優先レベルに決定される受信メッセージは緊急メッセージに対応する。
【００１３】
他の態様では、方法が提供される。当該方法は、複数の移動端末の各々の位置情報に関する位置メッセージを受信するステップと、前記複数の移動端末の少なくとも１つからテキストメッセージを受信するステップと、前記位置メッセージおよび前記テキストメッセージの各々に対して優先レベルを決定するステップと、最高の優先レベルに決定された受信メッセージを表示するステップと、を含む。
【００１４】
加えて、複数のメッセージタイプに関連付けられたメッセージ優先レベルを格納するステップを更に含む。
【００１５】
加えて、前記複数のメッセージタイプは、緊急テキストメッセージ、位置警報テキストメッセージ、リーダ・テキストメッセージ、テキストメッセージ、位置メッセージを含む。
【００１６】
加えて、前記複数の移動端末の位置に関する追跡パラメータを設定するステップを更に含む。
【００１７】
加えて、前記複数の移動端末の１つの位置と前記追跡パラメータとの比較に基づいてテキストメッセージを自動的に生成するステップを更に含む。
【００１８】
他の態様では、移動端末が提供される。当該移動端末は、複数のメッセージタイプに関連付けられたメッセージ優先レベルを格納するよう構成されたメモリと、ディスプレイと、第２の移動端末の位置に関する位置メッセージを受信し、第３の移動端末からテキストメッセージを受信し、受信された前記テキストメッセージおよび受信された前記位置メッセージの優先レベルを決定し、受信された前記位置メッセージおよび受信された前記テキストメッセージに関連付けられた決定された優先レベルに基づいて、受信されたメッセージの１つを表示するよう前記ディスプレイを制御するよう構成されたロジックと、を含む。
【００１９】
加えて、緊急に関する受信されたテキストメッセージは、最高の優先レベル・メッセージに対応する。
【００２０】
加えて、前記メモリは、複数の移動端末の位置に関する追跡パラメータを格納するよう更に構成される。
【００２１】
加えて、前記ロジックは、前記移動端末の位置と格納された前記追跡パラメータとを比較するよう更に構成される。
【００２２】
加えて、前記ロジックは、前記移動端末の位置と格納された前記追跡パラメータとの前記比較に基づいてテキストメッセージを自動的に生成するよう更に構成される。
【００２３】
本願明細書に記載されるシステム及び方法の他の特徴および効果は、以下の詳細な説明により当業者にとって直ちに明らかになる。図示され説明される実施態様は、実施例を実行するために考察される最良の形態を提供する。したがって、図面は、説明のためのものであり限定するものではないことが注意されることになっている。
【図面の簡単な説明】
【００２４】
【図１】本願明細書に記載の方法およびシステムが実施され得る例示的システムの図である。
【図２】図１における例示的移動端末の図である。
【図３】例示的移動端末を示す図である。
【図４】移動端末による例示的処理を示すフローチャートである。
【図５】メッセージ・レベル優先度を示す図である。
【図６Ａ】移動端末の例示的表示を示す図である。
【図６Ｂ】移動端末の例示的表示を示す図である。
【図６Ｃ】移動端末の例示的表示を示す図である。
【図６Ｄ】移動端末の例示的表示を示す図である。
【発明を実施するための形態】
【００２５】
添付の図面において同一の参照番号が指定される要素は、全体にわたって類似の要素を表す。
【００２６】
以下の詳細な説明は、添付の図面を参照する。異なる図面における同一の参照番号は、同一または類似の要素を識別する。また、以下の詳細な説明は、本願明細書に記載のシステムおよび方法を限定するものではない。代わりに、システムおよび方法の範囲は、添付の請求の範囲およびその等価の範囲より定義される。
【００２７】
図１は、本願明細書に記載される方法および装置が実現される例示的システム１００の図である。システム１００は、移動端末１１０、１２０、１３０、ネットワーク１４０、および、ＧＰＳ衛星１５０、１６０、１７０とを含むかもしれない。システム１００が他の個数の移動端末およびＧＰＳ衛星を含み得ることは理解されるべきである。例えば、システム１００は、移動端末１１０〜１３０間の情報を転送する多数の基地局および基地局アンテナを含むかもしれない。
【００２８】
本願明細書に記載される方法および装置は、移動端末のコンテキストにおいて実現され得る。本願明細書で使用する用語”移動端末”は複数行ディスプレイを有するセルラ無線電話；データ処理、ファクシミリおよびデータ通信機能と有するセルラ無線電話結合し得るパーソナル通信システム（ＰＣＳ）端末；無線電話器、ページャ、インターネット／イントラネット・アクセス、ウェブ・ブラウザ、オーガナイザ、カレンダおよび／またはグローバル・ポジショニング・システム（ＧＰＳ）受信機、ラジオ（ＡＭ／ＦＭ）受信機）を含み得るパーソナル携帯情報機器（ＰＤＡ）；無線電話トランシーバを含むラップトップおよび／またはパームトップ受信機あるいは他の機器を含み得る。また、移動端末は、ショート・メッセージ・サービス（ＳＭＳ）・プロトコルまたは音声、データ、音楽および映像の情報の同時通信が可能な他のプロトコルを介して他の機器と通信することが出来る”パーベイシブ・コンピューティング”デバイスを含むかもしれない。
【００２９】
ネットワーク１４０は、携帯電話ネットワーク、衛星ネットワーク、インターネット、公衆交換電話網（ＰＳＴＮ）のような電話交換網、メトロポリタン・エリア・ネットワーク（ＭＡＮ）、ワイド・エリア・ネットワーク（ＷＡＮ）またはローカル・エリア・ネットワーク（ＬＡＮ）を含む１以上のネットワークを含むかもしれない。移動端末１１０、１２０、１３０は、ネットワーク１４０上で、有線接続、無線接続または光学的接続を介して互いに通信し得る。
【００３０】
例示的な実施例において、ネットワーク１４０は、データおよびメッセージを移動端末１１０〜１３０間で転送するために使用される携帯電話ネットワークを含む。例えば、携帯電話ネットワークの構成要素は、近隣の移動端末からのデータを送受信する基地局アンテナ（不図示）を含み得る。また、例えば、携帯電話ネットワークの他の構成要素は、基地局アンテナに接続し、スイッチやルータ（不図示）などの他のデバイスと既知の技術に従って通信する基地局（不図示）を含み得る。
【００３１】
ＧＰＳ衛星１５０、１６０、１７０は、任意の送受信機のようなメカニズム、ソフトウェア・プログラムおよび／またはハードウェアによってＧＰＳ信号の送信のような機能の実行が可能となる１以上のプロセッサまたはマイクロプロセッサを含む通信インタフェースを含むかもしれない。ＧＰＳ衛星１５０〜１７０によって送信されるＧＰＳ信号は、移動端末１１０〜１３０により受信され得、例えば、移動端末１１０〜１３０の各々の位置を算出するために用いられ得る。
【００３２】
図２は、移動端末１１０の例示的な構成要素の図である。図２に示すように、移動端末１１０は、処理ロジック２１０、記憶部２２０、ユーザ・インタフェース２３０、通信インタフェース２４０、アンテナ・アセンブリ２５０、および、グループ追跡メモリ２６０を含みうる。処理ロジック２１０は、プロセッサ、マイクロプロセッサ、特定用途向け集積回路（ＡＳＩＣ）、フィールド・プログラマブル・ゲート・アレイ（ＦＰＧＡ）、またはそれに類するものを含み得る。処理ロジック２１０は、移動端末１１０および構成要素の制御動作のためのデータ構造またはソフトウェアプログラムを含み得る。記憶部２２０は、ランダムアクセスメモリ（ＲＡＭ）、読出し専用メモリ（ＲＯＭ）、および／または、処理ロジック２１０によって使用され得るデータおよび命令を記憶する他の種類のメモリを含み得る。
【００３３】
ユーザ・インタフェース２３０は、移動端末１１０に情報を入力するためおよび／または情報を移動端末１１０から出力するためのメカニズムを含み得る。入出力メカニズムの例は、電気信号を受信し音声信号を出力するスピーカ、音声信号を受信し電気信号を出力するマイクロホン、データおよび制御命令の移動端末１１０への入力を可能にするキーパッド上の制御ボタンおよび／またはキー、および、視覚情報を出力するディスプレイを含み得る。ユーザ・インタフェース２３０に含まれるこれらの例示的な種類の入出力メカニズムは、図３に更に詳細に示され説明される。
【００３４】
通信インタフェース２４０は、例えば、処理ロジック２１０からのベースバンド信号を無線周波数（ＲＦ）信号に変換する送信機および／またはＲＦ信号をベースバンド信号に変換する受信機を含み得る。あるいは、通信インタフェース２４０は、送信機および受信機の双方の機能を実行する送受信機を含む。通信インタフェース２４０は、ＲＦ信号の送受信のためのアンテナ・アセンブリ２５０に接続され得る。また、例えば、通信インタフェース２４０は、ＧＰＳ衛星１５０〜１７０からＧＰＳ信号を受信し処理するよう構成されるかもしれない。アンテナ・アセンブリ２５０は、ＲＦ信号およびＧＰＳ信号をエアを介して送受信するための１以上のアンテナを含み得る。アンテナ・アセンブリ２５０は、通信インタフェース２４０からＲＦ信号を受信しエアを介してそれらを送信し、また、エアを介してＲＦ信号を受信し通信インタフェース２４０にそれらを提供し得る。
【００３５】
グループ追跡メモリ２６０は、移動端末１１０〜１３０間の距離または領域に関する位置限界を定義する追跡パラメータに関する情報を含み得る。また、例えば、グループ追跡メモリ２６０は、グループ内の移動端末の識別に関する情報を格納し、また、中間地点またはグループ旅程に関する情報を格納するかもしれない。また、グループ追跡メモリ２６０は、移動端末１１０〜１３０の速度および加速度に関する追跡パラメータを格納するかもしれない。また、グループ追跡メモリ２６０は、移動端末１１０により送受信され得るメッセージの優先レベルを格納するかもしれない。グループ追跡メモリ２６０に格納されるこれらの優先レベルは、例えば、移動端末１１０に関するメッセージの優先表示を提供するために処理ロジック２１０によって使用されるかもしれない。
【００３６】
以下で詳細に説明するように、移動端末１１０は、記憶部２２０のようなコンピュータ可読媒体に含まれるアプリケーションを用いて、移動端末グループの位置信号を算出し表示し送受信するソフトウェア命令を実行する処理ロジック２１０に応答して動作を実行するかもしれない。コンピュータ可読媒体は、物理的または論理的メモリ素子および／または搬送波として定義され得る。
【００３７】
ソフトウェア命令は、他のコンピュータ可読媒体または通信インタフェース２４０を介して他のデバイスから記憶部２２０に読み込まれ得る。記憶部２２０に含まれるソフトウェア命令は、処理ロジック２１０に後述のプロセスを実行させ得る。あるいは、実施例と整合した方法を実装するために、ソフトウェア命令の代わりまたはソフトウェア命令と結合してハードワイヤード回路が使用されるかもしれない。このように、実施例の原理と整合した実施態様は、特定のハードウェア回路およびソフトウェアの組合せに限定されない。
【００３８】
図３は、ハウジング３６０、キーパッド３１０、制御キー３２０、スピーカ３３０、ディスプレイ３４０およびマイクロホン３５０を含み得る例示的な移動端末１１０を示す図である。ハウジング３６０は、移動端末１１０で使用されるデバイスおよび構成要素を保持するように構成された構造を含み得る。例えば、ハウジング３６０は、プラスチック、金属または混合物により形成され、キーパッド３１０、制御キー３２０、スピーカ３３０、ディスプレイ３４０、マイクロホン３５０を支持するように構成され得る。
【００３９】
キーパッド３１０は、移動端末１１０の動作に使用され得るデバイスおよび／またはロジックを含み得る。更に、キーパッド３１０は、情報を移動端末１１０に入力するため、ユーザー入力を直接またはスタイラスのような他のデバイスを介して受信するのに適しているかもしれない。一実施例では、移動端末１１０の通信機能は、キーパッド３１０のアクティベート・キーにより制御されるかもしれない。キーの実装は、数、文字、記号のような、当該キーに関連するキー情報を有するかもしれない。ユーザは、発呼のため、数字、命令およびテキストメッセージを移動端末１１０に入力するためにキーパッド３１０のキーを操作するかもしれない。キーの指定機能は、ディスプレイ３４０に表示され得る画像を形成および／または操作するかもしれない。
【００４０】
制御キー３２０は、ディスプレイ３４０との対話などの特定の動作を実行するためにユーザが移動端末１１０と対話可能とするボタンを含むかもしれない。例えば、ユーザは、他の移動端末１２０〜１３０へのテキストメッセージの送信または受信の選択を含むメニューから選択するために制御キー３２０を使用するかもしれない。
【００４１】
スピーカ３３０は、移動端末１１０のユーザに可聴の情報を提供するデバイスを含み得る。スピーカ３３０は移動端末１１０上の任意の場所に位置し、例えば、ユーザが移動端末１１０を使用して通信する際のイヤピースとして機能するかもしれない。また、スピーカ３３０は、例えば、楽曲再生の出力装置として機能するかもしれないし、緊急時に警報音を生成するかもしれない。
【００４２】
ディスプレイ３４０は、ユーザに視覚映像を提供するデバイスを含み得る。例えば、ディスプレイ表示３４０は、ユーザに対してテキストを表示するかもしれない。ディスプレイ３４０は、着信／発信、テキストメッセージ、電話帳、ボリューム設定、その他に関するグラフィック情報を移動端末１１０のユーザに対して表示するかもしれない。ディスプレイ３４０の実施例は、液晶ディスプレイ（ＬＣＤ）のような白黒またはカラーディスプレイとして実装され得る。ディスプレイ３４０は、グループ内の各々の移動端末の位置を表示するかもしれない。例えば、図３に示されるように、５台の移動端末のグループの４台の移動端末の各々はディスプレイ３４０上で、数字（１〜４）で表され、グループ内の”リーダ（leader）”移動端末は”Ｌ”で表されるかもしれない。また、図６Ａ〜６Ｄに関して後述するように、ディスプレイ３４０は、距離スケール、現在の日付／時刻を表示し、テキストメッセージを表示するかもしれない。例えば、ディスプレイ３４０は、先頭に位置する移動端末１および３、後続の移動端末２、リーダおよび移動端末４を表示する。これによって、各パーティは、グループ内での相対位置および現在の進行方向をすばやく決定することが出来る。
【００４３】
マイクロホン３５０は、音声または他の音響信号を移動端末１１０用で使用される電気信号に変換するデバイスを含みうる。マイクロホン３５０は、移動端末１１０上の任意の場所に位置し、例えば、口頭の語句を移動端末１１０で使用される電気信号に変換するよう構成されるかもしれない。
【００４４】
図４は、移動端末１１０により実行される例示的な処理４００を示している。処理は、移動端末１１０が電源オンされると開始され、位置および時間パラメータを同期する（動作４１０）。例えば、移動端末１１０は、位置および時間パラメータを同期するためにＧＰＳ衛星１５０〜１７０からの送信信号を受信し始めるかもしれない。例えば、３人のグループ（各人は移動端末１１０〜１３０の１つを有する）は、一緒に旅行する予定である場合、移動端末１１０〜１３０の各々は計算しそれぞれの位置および時間パラメータに同期するかもしれない（動作４１０）。更なるパーティが当該グループに含まれうることは理解されるべきである。例えば、この例で２台の他の移動端末と関連するパーティが含まれるかもしれない。
【００４５】
一旦移動端末１１０〜１３０が同期すると、追跡パラメータがセットされ得る（動作４２０）。例えば、移動端末１１０のユーザは、キーパッド３１０上のキーを使用して、グループ内の移動端末の識別に関するパラメータ、および、移動端末のグループを追跡するために使用される追跡パラメータを入力するかもしれない。追跡パラメータは、例えば、２台の移動端末が非常に近いことを示す距離であり得、または、２台の移動端末が非常に遠く離れている距離であるかもしれない。追跡パラメータの他の実施例は、例えば、領域、速度、加速度または指定されたリーダ移動端末から距離などのグループを維持するために使用される”重力”定数であるかもしれない。追跡パラメータの更なる実施例は、例えば座標または移動端末が午後２時に博物館にいるべきであるという情報などの訪問場所のグループ旅程を含むかもしれない。
【００４６】
例えば、移動端末１１０〜１３０のユーザがハイキングに行く予定の場合、１００メートルという追跡パラメータが移動端末１１０に入力され得る（動作４２０）。例えば、移動端末１１０〜１３０のユーザが国内を横断ドライブを計画している場合、動作４２０で入力される追跡パラメータは１０マイルであるかもしれない。動作４２０で入力される追跡パラメータは、移動端末１１０〜１３０のいずれかが非常に遠く離れた場合または近すぎる場合の警告に使用され、適切なメッセージが生成され、後述するように表示されるかもしれない。例えば、移動端末の速度または加速度の最大値が、追跡パラメータ（動作４２０）としてセットされるかもしれない。動作４２０で入力される他の典型的な追跡パラメータは、”リーダ”移動端末の指定であり、当該指定されたリーダ移動端末への／からのメッセージは後述するように優先されるかもしれない。
【００４７】
例えば、グループ内の各々の移動端末が同期し追跡パラメータが入力された（動作４１０および４２０）後、移動端末１１０は位置メッセージの送受信を開始するかもしれない（動作４３０）。例えば、ＧＰＳ衛星１５０〜１７０からの受信信号を使用して、移動端末１１０は、自身の位置を算出し、グループ内の他の移動端末（１２０〜１３０）に位置メッセージを送信する（動作４３０）かもしれない。同様に、移動端末１２０〜１３０も、自身の場所を算出しそれらの位置メッセージを所定のグループの他の移動端末に送信するかもしれない。後述するように、移動端末間で送信される位置メッセージは、グループ追跡メモリ２６０に含まれる格納済のメッセージ優先レベルに基づいて決定された優先度を有するかもしれない。
【００４８】
また、例えば、移動端末１１０はＧＰＳ衛星１５０〜１７０からの受信信号を使用して自身の位置を算出し、算出した位置をグループ追跡メモリ２６０に格納された追跡パラメータと比較するかもしれない。例えば、移動端末１１０は、算出した位置が追跡パラメータを越えるかもしれないと判定するかもしれない。移動端末１１０が追跡パラメータを越えたかもしれないという判定に応答して、警告メッセージが生成されるかもしれない（動作４３０）。例えば、警告メッセージは、移動端末の１台があまりに高速に移動していることを示すかもしれない。他の警告メッセージは、移動端末の１台がグループの遥か後方にある、間違った方向に向いている、または、１台の移動端末が指定の時間に適切な場所にいないことを示すかもしれない。
【００４９】
例えば、移動端末１１０〜１３０は、ネットワーク１４０を用いて相互にテキストメッセージを送受信するかもしれない（動作４４０）。例えば、移動端末１１０のユーザは、キーパッド３１０上のキーを使用して、移動端末１２０にテキストメッセージを入力するかもしれない。
【００５０】
ディスプレイ３４０を用いて、移動端末１１０は優先レベルに基づいて位置メッセージおよびテキストメッセージを表示するかもしれない（動作４５０）。例えば、移動端末（１１０〜１３０）のグループは、相互に位置およびテキストメッセージを送受信するかもしれない。ここで、送信／受信された全メッセージは当該メッセージと関連する優先レベルを含んでいる。後述するように、最優先の受信メッセージは、例えばグループ追跡メモリ２６０に格納されたメッセージ優先レベルに基づいて表示されるかもしれない 。
【００５１】
図５は、グループ追跡メモリ２６０に格納され得る例示的なメッセージ優先レベルを示している。この例では、最優先メッセージ（レベル１）は、移動端末１１０からの９１１タイプの発信のような緊急メッセージであるかもしれない。例えば、移動端末１１０のユーザが９１１をダイヤルするためにキーパッド３１０を使用する場合、”助けて！”のようなレベル１の優先メッセージがグループ内の他の移動端末により受信され表示されるかもしれない。レベル２の優先メッセージは、自動的に生成された位置警報テキストメッセージであるかもしれない。自動的に生成された位置警報テキストメッセージ（レベル２の優先メッセージ）は、例えば、移動端末の位置、速度および／または加速度をグループ追跡メモリ２６０に格納された追跡パラメータと比較することによって生成され得る。例えば、移動端末１１０が他の移動端末からあまりに遠く離れているまたはあまりに近くにいる場合、レベル２の位置警告メッセージが生成され得る。また、位置警告メッセージ（レベル２）は、例えばあまりに高速に移動している移動端末に応答して生成されるかもしれない。レベル３の優先メッセージは、指定されたリーダ移動端末からのテキストメッセージであるかもしれない。レベル４の優先メッセージは、ある移動端末からグループ内の他の移動端末へのテキストメッセージであるかもしれない。レベル５の優先メッセージは、グループ内の他の移動端末へ／から転送される位置メッセージであるかもしれない。任意の数の優先レベルがあり得、優先レベルのカテゴリが所望のものによって変化し得る事は理解されるべきである。
【００５２】
図５に示されるようなこれらの例示的なメッセージを用いて、最優先の受信メッセージをディスプレイ３４０に表示するよう制御する（動作４５０）ために処理ロジック２１０およびグループ追跡メモリ２６０が利用されうる。例えば、最高の優先レベルを有する受信メッセージは、より下位の優先度のメッセージの先立って表示されるかもしれない。
【００５３】
例えば、移動端末１１０は、図３に示すように、グループ内の全ての移動端末の位置を表示するかもしれない。例えば、移動端末１１０（パーティ＃４）がリーダ移動端末から遥か後方に移動した場合、算出された自身の位置と格納された追跡パラメータを比較することにより、自動位置警告メッセージが生成され、図６Ａに示されるように、移動端末１１０（パーティ＃４）上に表示されるかもしれない。この例では、表示されたメッセージ”パーティ＃４  スピードを上げて下さい！”は、レベル２の優先メッセージであるかもしれない。この例示的な優先度レベル２のメッセージは、（図３に示されるような）グループ内の移動端末の位置に関連するレベル５の優先メッセージの表示に対し優先され得る。このように、移動端末１１０（パーティ＃４）のユーザは、リーダ移動端末に対する相対位置と関連した警戒情報を与えられる。また、位置警告メッセージは、付加的な情報を含むかもしれない。例えば、位置警告メッセージは、移動端末１１０がどの程度遅れているかを示す距離パラメータを含むかもしれない。例えば、位置警告メッセージは、移動端末１１０が他の移動端末のグループから３００メートル後方にいることを示すかもしれない。加えて、メッセージは、”パーティ＃４”を指定するのではなく、移動端末１１０のパーティの名前である名前情報を含むかもしれない。
【００５４】
例えば、移動端末１２０は、移動端末１３０からテキストメッセージ（レベル４の優先度）を受信し、移動端末１１０から緊急メッセージが送信される場合、このレベル１の優先メッセージは、図６Ｂに示すようにディスプレイ３４０に表示され得る。例えば、移動端末１１０のユーザは、グループでのハイキングで負傷し、医療緊急の９１１にダイヤルするかもしれない。この例では、レベル４の優先メッセージ（移動端末１３０から移動端末１２０へのテキストメッセージ）は、レベル１優先度の緊急メッセージ”緊急！  ９１１に電話”が表示されるまで、移動端末１２０には表示されないかもしれない。この例示的実施形態では、所定グループの全ての移動端末は、緊急メッセージを受信し表示する（動作４４０および４５０）かもしれない。例えば、処理ロジック２１０は、移動端末１１０のユーザにより入力された、”助けて”、”緊急”または”９１１”のいずれかの語句を含み得る任意のテキストメッセージにレベル１の優先度を付与するかもしれない。また、例えば、処理ロジック２１０は、移動端末のユーザが９１１にダイヤルする場合、レベル１優先度をメッセージに付与するかもしれない。例えば、グループ追跡メモリ２６０は、全てのレベル１の優先メッセージをグループ内の他の全ての移動端末に発信するようにという指示を含む情報を格納するかもしれない。例えば、レベル１優先メッセージは、それから、グループ内の全ての移動端末により受信され、表示されるかもしれない。
【００５５】
他の例示的なメッセージを図６Ｃに示す。この例において、指定されたリーダ移動端末からメッセージ”私たちは全員帰宅すべきです”は、グループ内の各々の移動端末に送信され表示されるかもしれない（動作４４０および４５０）。この例では、リーダ移動端末からのメッセージは、レベル３の優先メッセージであり、レベル４またはレベル５の優先メッセージに先立って表示され得る（動作４５０）。他の実施態様において、リーダ移動端末は、例えば、先導役（lead）をグループ内の他の移動端末へ移譲するレベル３のメッセージを送信するかもしれない。
【００５６】
更なる例示的なメッセージが図６Ｄに示される。この例では、”あなたは、午後２時に博物館で会う予定に５分遅れています”というメッセージが移動端末１１０に表示される。この例では、移動端末１１０のユーザは、例えば、特定の時刻（午後２時）に特定の場所（博物館）で会うことに関する情報に対して、ワシントンＤ．Ｃ．の見学と関連する追跡パラメータを入力したかもしれない。この実施例では、移動端末１１０の時刻及び位置と格納された追跡パラメータとの比較に基づいて、位置警告メッセージ（レベル２の優先度）は移動端末１１０により自動的に生成され（動作４３０）表示される（動作４５０）。この例では、午後２時０５分であり、移動端末１１０の位置が博物館の位置にいないと判定される。この判定に応答して、図６Ｄに示される例示的なメッセージが表示され得る。一方、移動端末１１０の位置が午後２時に博物館にあると判定された場合、位置警告メッセージは生成されないかもしれない。更なる実施例において、移動端末１１０の位置とグループ追跡メモリ２６０に格納された追跡パラメータとの比較に基づいて移動端末１１０が追跡から外れているとの判定に応答して、レベル２の位置警告メッセージがまた送信されリーダ移動端末に表示されるかもしれない。例えば移動端末１１０が”パーティ＃５”と識別された場合、テキストメッセージ”パーティ＃５  はここにいない”がリーダ移動端末に表示されるかもしれない。リーダ移動端末は、それから、例えば、”パーティ＃５”が予定の場所にいない理由を問い合わせるための、パーティ＃５へのテキストメッセージ（レベル３優先度）の送信を要求するかもしれない。
【００５７】
移動端末１１０が、現在、優先レベル１〜４のメッセージを何も受信していない場合、図３に示すような位置メッセージ表示が表示されるかもしれない。移動端末の位置の表示（レベル５）は、より高い優先メッセージ（レベル１〜４）が受信される場合に変更されるデフォルト表示と見なせるかもしれない。このように、メッセージ（テキストまたは位置）が移動端末１１０により受信される場合に、当該メッセージの優先度が決定され得る。従って、移動端末のグループの追跡についての最高の優先度および重要性を有するメッセージが表示され得る。
【００５８】
＜結論＞
本願明細書に記載されるシステムおよび方法と整合した実施態様により、移動端末のユーザは優先メッセージを送受信することが可能となる。これらのメッセージは、グループ内の他の移動端末に対するある移動端末の相対的な位置に関連するかもしれない。これにより移動端末の能力は非常に強化される。
【００５９】
上述の実施例の説明は、図および説明を提供しているが、本発明を、開示される正確な形に限定することを意図するものではない。上述の教示を考慮した、または、本発明の実行から得られる修正および変更が可能である。
【００６０】
例えば、ネットワーク上で通信しＧＰＳ機能を使用する移動端末のコンテキストについて記載されている。実施形態は、他のデバイス、システムおよび／またはネットワークで実施され得る。
【００６１】
さらに、図４に関して、一連の動作が記載されているが、その動作の順序は他の実施態様において変更され得る。さらに、非依存の動作は平行して実行されるかもしれない。
【００６２】
また、上述したような実施態様の側面がセルラ通信装置／システム、方法および／またはコンピュータ・プログラム製品により実現され得ることは当業者にとって明らかである。したがって、実施態様は、ハードウェアおよび／またはソフトウェア（ファームウェア、常駐ソフトウェア、マイクロコード、その他を含む）で表現されるかもしれない。さらにまた、実施態様は、命令実行システム用によりまたは関連した媒体として実現されるコンピュータ使用可能またはコンピュータ可読のプログラムコードを有するコンピュータ使用可能またはコンピュータ可読の記憶媒体上のコンピュータ・プログラム製品という形をとるかもしれない。実施形態の側面を実装する実際のソフトウェアコードまたは専用制御ハードウェアは、記載されているシステム及び方法に制限されない。このように、側面の動作および挙動は特定ソフトウェアコードを参照すること無く説明され、当業者は、本願明細書の説明に基づいてその側面を実現するためにソフトウェア及び制御ハードウェアを設計し得ることは理解されるべきである。
【００６３】
更に、実施態様の各部は１以上の機能を実行する”ロジック”として実現されるかもしれない。当該ロジックは、例えばプロセッサ、マイクロプロセッサ、特定用途向け集積回路またはフィールド・プログラマブル・ゲートアレイのようなハードウェア、ソフトウェア、または、ハードウェアおよびソフトウェアの組合せを含むかもしれない。
【００６４】
本明細書において用語”含む／含んでいる（comprises/comprising）”が使用される場合、説明した特徴、数値、工程または要素の存在を特定するのに使用されるが、１以上の他の特徴、数値、工程、要素またはそれらのグループの存在または追加を排除するものではないことは強調されるべきである。
【００６５】
明示的に記載されていない限り、本願明細書の要素、動作または命令は、本発明にとって重要または本質的なものとして解釈されるべきではない。また、本明細書において、冠詞”a”が使用される場合、１以上の部材を含むことを意図する。１つの部材だけが意図される場合、用語”one”または類似した言い回しが用いられる。更に、句”に基づく（based on）”は、明示的に述べられない限り”少なくとも部分的に基づく（based, at least in part, on）”を意味する。
【００６６】
本願明細書に記載のシステムおよび方法の範囲は、特許請求の範囲及びその等価の範囲により定義される。
【図１】
2010507931.tif 000003
【図２】
2010507931.tif 000004
【図３】
2010507931.tif 000005
【図４】
2010507931.tif 000006
【図５】
2010507931.tif 000007
【図６Ａ】
2010507931.tif 000008
【図６Ｂ】
2010507931.tif 000009
【図６Ｃ】
2010507931.tif 000010
【図６Ｄ】
2010507931.tif 000011
【手続補正書】
【提出日】平成20年8月15日(2008.8.15)
【手続補正１】
【補正対象書類名】特許請求の範囲
【補正対象項目名】全文
【補正方法】変更
【補正の内容】
【特許請求の範囲】
【請求項１】
複数の移動端末（１１０−１３０）に対する少なくとも１つの追跡パラメータと時間パラメータとを設定するステップと、
前記複数の移動端末（１１０−１３０）の各々から位置情報を受信するステップと、
前記時間パラメータと前記少なくとも１つの追跡パラメータと少なくとも１つの移動端末（１１０）の位置とに基づいて、前記複数の移動端末の少なくとも１つ（１１０）に関するメッセージを自動的に表示するステップと、
を含むことを特徴とする方法。
【請求項２】
前記少なくとも１つの追跡パラメータは、距離または領域の少なくとも一方を含むことを特徴とする請求項１に記載の方法。
【請求項３】
前記少なくとも１つの移動端末（１１０）は第１の移動端末を含んでおり、
前記第１の移動端末（１１０）の位置が前記少なくとも１つの追跡パラメータを越える場合に前記メッセージを生成するステップを更に含むことを特徴とする請求項２に記載の方法。
【請求項４】
前記複数の移動端末の少なくとも１つ（１１０）に関する自動的に表示された前記メッセージは、位置警報、速度警報、加速度警報、見出し警報の少なくとも１つを示すテキストを含むことを特徴とする請求項１に記載の方法。
【請求項５】
複数の移動端末（１１０−１３０）に対する少なくとも１つの追跡パラメータを設定する前記ステップは、前記複数の移動端末（１１０−１３０）に優先メッセージを送信するリーダ移動端末を指定するステップを含むことを特徴とする請求項１に記載の方法。
【請求項６】
追跡情報と時間パラメータとを格納するメモリ（２６０）と、
ディスプレイ（３４０）と、
複数の移動端末（１１０−１３０）の各々の位置に関する位置メッセージを受信し、前記時間パラメータおよび前記移動端末（１１０）の位置と格納された前記追跡情報との比較に基づいて生成されたテキストメッセージを表示するよう前記ディスプレイ（３４０）を制御するよう構成されたロジック（２１０）と、
を含むことを特徴とする移動端末（１１０）。
【請求項７】
前記ロジック（２１０）は、
前記複数の移動端末（１１０−１３０）からテキストメッセージを受信し、
受信された位置メッセージおよびテキストメッセージに関連する優先レベルを決定し、
決定された優先レベルに基づいて受信されたメッセージを表示する
よう更に構成されることを特徴とする請求項６に記載の移動端末（１１０）。
【請求項８】
最高の優先レベルに決定される受信メッセージは緊急メッセージに対応することを特徴とする請求項７に記載の移動端末（１１０）。
【請求項９】
時間パラメータと複数の移動端末（１１０−１３０）の位置に関する追跡パラメータとを設定するステップと、
前記複数の移動端末（１１０−１３０）の各々の位置情報に関する位置メッセージを受信するステップと、
前記時間パラメータおよび前記複数の移動端末の１つ（１１０）の位置と前記追跡パラメータとの比較に基づいてテキストメッセージを自動的に生成するステップと、
前記複数の移動端末の少なくとも１つ（１１０）からテキストメッセージを受信するステップと、
前記位置メッセージおよび前記テキストメッセージの各々に対して優先レベルを決定するステップと、
最高の優先レベルに決定された受信メッセージを表示するステップと、
を含むことを特徴とする方法。
【請求項１０】
複数のメッセージタイプに関連付けられたメッセージ優先レベルを格納するステップを更に含むことを特徴とする請求項９に記載の方法。
【請求項１１】
前記複数のメッセージタイプは、緊急テキストメッセージ、位置警報テキストメッセージ、リーダ・テキストメッセージ、テキストメッセージ、位置メッセージを含むことを特徴とする請求項１０に記載の方法。
【請求項１２】
複数のメッセージタイプに関連付けられたメッセージ優先レベルを格納するよう構成されたメモリ（２６０）と、
ディスプレイ（３４０）と、
時間パラメータと複数の移動端末（１１０−１３０）の位置に関する追跡パラメータとを設定し、第２の移動端末（１２０）の位置に関する位置メッセージを受信し、第３の移動端末（１３０）から、前記時間パラメータおよび前記第３の移動端末（１３０）の位置と前記追跡パラメータとの比較に基づいて前記第３の移動端末により自動的に生成されたテキストメッセージを受信し、受信された前記テキストメッセージおよび受信された前記位置メッセージの優先レベルを決定し、受信された前記位置メッセージおよび受信された前記テキストメッセージに関連付けられた決定された優先レベルに基づいて、受信されたメッセージの１つを表示するよう前記ディスプレイ（３４０）を制御するよう構成されたロジック（２１０）と、
を含むことを特徴とする移動端末（１１０）。
【請求項１３】
緊急に関する受信されたテキストメッセージは、最高の優先レベル・メッセージに対応することを特徴とする請求項１２に記載の移動端末（１１０）。
【手続補正書】
【提出日】平成21年6月23日(2009.6.23)
【手続補正１】
【補正対象書類名】特許請求の範囲
【補正対象項目名】全文
【補正方法】変更
【補正の内容】
【特許請求の範囲】
【請求項１】
時間パラメータと複数の移動端末（１１０−１３０）の位置に関する追跡パラメータとを設定するステップと、
前記複数の移動端末（１１０−１３０）の各々の位置情報に関する位置メッセージを受信するステップと、
前記時間パラメータおよび前記複数の移動端末の１つ（１１０）の位置と前記追跡パラメータとの比較に基づいてテキストメッセージを自動的に生成するステップと、
前記複数の移動端末の少なくとも１つ（１１０）からテキストメッセージを受信するステップと、
前記位置メッセージおよび前記テキストメッセージの各々に対して優先レベルを決定するステップと、
最高の優先レベルに決定された受信メッセージを表示するステップと、
を含むことを特徴とする方法。
【請求項２】
前記追跡パラメータは、距離または領域の少なくとも一方を含むことを特徴とする請求項１に記載の方法。
【請求項３】
前記複数の移動端末（１１０）は第１の移動端末を含んでおり、
前記第１の移動端末（１１０）の位置が前記追跡パラメータの１つを越える場合に前記テキストメッセージを生成するステップを更に含むことを特徴とする請求項２に記載の方法。
【請求項４】
前記自動的に生成されたメッセージは、位置警報、速度警報、加速度警報、見出し警報の少なくとも１つを示すテキストを含むことを特徴とする請求項１に記載の方法。
【請求項５】
時間パラメータと複数の移動端末（１１０−１３０）の位置に関する追跡パラメータとを設定する前記ステップは、前記複数の移動端末（１１０−１３０）に優先メッセージを送信するリーダ移動端末を指定するステップを含むことを特徴とする請求項１に記載の方法。
【請求項６】
複数のメッセージタイプに関連付けられたメッセージ優先レベルを格納するステップを更に含むことを特徴とする請求項１に記載の方法。
【請求項７】
前記複数のメッセージタイプは、緊急テキストメッセージ、位置警報テキストメッセージ、リーダ・テキストメッセージ、テキストメッセージ、位置メッセージを含むことを特徴とする請求項６に記載の方法。
【請求項８】
複数のメッセージタイプに関連付けられたメッセージ優先レベルを格納するよう構成されたメモリ（２６０）と、
ディスプレイ（３４０）と、
時間パラメータと複数の移動端末（１１０−１３０）の位置に関する追跡パラメータとを設定し、第２の移動端末（１２０）の位置に関する位置メッセージを受信し、第３の移動端末（１３０）から、前記時間パラメータおよび前記第３の移動端末（１３０）の位置と前記追跡パラメータとの比較に基づいて前記第３の移動端末により自動的に生成されたテキストメッセージを受信し、受信された前記テキストメッセージおよび受信された前記位置メッセージの優先レベルを決定し、受信された前記位置メッセージおよび受信された前記テキストメッセージに関連付けられた決定された優先レベルに基づいて、受信されたメッセージの１つを表示するよう前記ディスプレイ（３４０）を制御するよう構成されたロジック（２１０）と、
を含むことを特徴とする移動端末（１１０）。
【請求項９】
緊急に関する受信されたテキストメッセージは、最高の優先レベル・メッセージに対応することを特徴とする請求項８に記載の移動端末（１１０）。
【請求項１０】
前記追跡パラメータは、距離または領域の少なくとも一方を含むことを特徴とする請求項８に記載の移動端末（１１０）。
【国際調査報告】
2010507931.tif 000012
2010507931.tif 000013
2010507931.tif 000014
2010507931.tif 000015
2010507931.tif 000016